(57)【要約】      （修正有）【課題】衣服用ベルトを使用することによって不可避的に発生するピン孔周辺の損傷を見え難くして、良好な外観を保持する衣服用ベルトを提供する。【解決手段】衣服に装着して使用者の腰部に衣服を保持するための皮革製帯状体３の一端にピンバックル２を備え、皮革製帯状体３の他端にピンバックル２のピンを挿入するピン孔６を一列に複数個配列した衣服用ベルト１であって、皮革製帯状体３の外面のピン孔６を配列した端部に皮革製カバー４を被せてピン孔６の列を覆い、かつ皮革製カバー４に１筋の切れ目を入れて直線状のスリット５を設け、そのスリット５とピン孔６の夫々の中心点を結ぶ１本の直線とを一致させて配置する。【選択図】図１
0003217227.tif 000002
【実用新案登録請求の範囲】
【請求項１】
衣服に装着して使用者の腰部に前記衣服を保持するための皮革製帯状体の一端にピンバックルを備え、前記皮革製帯状体の他端に前記ピンバックルのピンを挿入するピン孔を一列に複数個配列した衣服用ベルトであって、前記皮革製帯状体の外面の前記ピン孔を配列した端部に皮革製カバーを被せて前記ピン孔の列を覆い、かつ前記皮革製カバーに１筋の切れ目を入れて直線状のスリットを設け、該スリットと前記ピン孔の夫々の中心点を結ぶ１本の直線とを一致させて配置することを特徴とする衣服用ベルト。
【請求項２】
前記皮革が天然皮革および／または人造皮革であることを特徴とする請求項１に記載の衣服用ベルト。
【請求項３】
前記ピン孔のうちの１個を基準孔とし、前記皮革製帯状体の内面の前記ピンバックル側の端部に前記基準孔の中心点からの距離Ｍを示す目盛りを表示することを特徴とする請求項１または２に記載の衣服用ベルト。
【請求項４】
前記基準孔の中心点と前記ピン孔の夫々の中心点との間隔Ｎを、前記皮革製帯状体の内面の前記ピン孔周辺に表示することを特徴とする請求項３に記載の衣服用ベルト。
【考案の詳細な説明】
【技術分野】
【０００１】
本考案は、衣服（たとえばズボン等）に装着して使用者の腰部に衣服を保持する衣服用ベルトに関するものであり、詳しくは、ピン孔周辺の外観の劣化（たとえば変形、ひび割れ等）を見えなくする衣服用ベルトに関するものである。
【背景技術】
【０００２】
一般に、衣服用ベルトは、使用者の腰部に巻き付ける柔軟な帯状の皮革（以下、皮革製帯状体という）と、使用者の腰部に皮革製帯状体を締め付けて保持するバックルとを備えている。皮革製帯状体の素材は、天然皮革や人造皮革が使用され、
(a)使用者が着用した状態で外側に露出する面（以下、外面という）および使用者が着用した状態で身体に当接する面（以下、内面という）の両方に天然皮革を使用する皮革製帯状体、
(b)外面および内面の両方に人造皮革を使用する皮革製帯状体、
(c)天然皮革と人造皮革を併用する皮革製帯状体（たとえば外面に天然皮革、内面に人造皮革）
等が実用化されている。また、バックルは、
(d)衣料用ベルトに開けたピン孔に針状のピンを通して使用するバックル、
(e)衣料用ベルトにピン孔を開けずに使用するバックル
が広く普及している。
【０００３】
上記(d)のバックル（以下、ピンバックルという）を備えた衣服用ベルトは、皮革製帯状体に複数個のピン孔が配列されており、使用者が着用した状態で体形（たとえば腰回りの寸法）に合わせてピンをピン孔に挿入して使用される。使用者の体形は短期間（たとえば衣服用ベルトの耐用期間）では変化し難いので、衣服用ベルトを着用する時は常に特定のピン孔にピンが挿入される。
【０００４】
ピンバックルを備えた衣服用ベルトは、このような特性を有しており、使用者が着用した状態では皮革製帯状体に発生する引っ張り力（すなわち腰部を締め付ける力）をピンが支えることによって、使用者の腰部に衣服用ベルトが保持される。したがって、皮革製帯状体に作用する引っ張り力は、ピン孔に挿入されたピンと当該ピン孔を形成する皮革製帯状体とが接触する部位に集中するので、そのピン孔は、他のピン孔よりも、損傷を受け易い。
【０００５】
こうしてピン孔周辺に損傷（たとえば変形、ひび割れ等）を受けた衣服用ベルトは、
(A)外観の劣化を招く
という問題が生じ、とりわけピン孔が変形した場合は、
(B)ピンが挿入されるピン孔の拡大が原因となって、使用者の腰部を締め付ける力が弱くなる
等の問題が生じる。
【０００６】
上記(A)(B)は、皮革製帯状体の素材（上記(a)〜(c)参照）に関わらず発生する問題であるが、上記(A)の問題を解消できる衣服用ベルトは未だ開発されていない。
【０００７】
一方で上記(B)の問題は、損傷を受けていないピン孔にピンを挿入するように変更し、さらにそのピン孔の変更に相当する長さを皮革製帯状体から切り落とすことによって解消できる。ところが、この方法で上記(B)の問題を解消するためには、変更前のピン孔と変更後のピン孔との間隔を物差しで測定し、その測定値と同じ長さを皮革製帯状体から切り落とすという煩雑な作業が発生する。
【０００８】
このような煩雑さを緩和するために、皮革製帯状体の内面に長さを示す目盛り（たとえば特許文献１参照）を表示すれば、物差しを使用する必要がなくなる。しかし特許文献１に開示されたベルトは、ピンバックルを備えたものではないので、ピン孔が存在せず、ピン孔周辺の損傷も発生しない。つまり特許文献１に開示されたベルトでは、上記(A)(B)の問題を解消することはできない。
【０００９】
また、ピンバックルを備えた衣服用ベルトに目盛りを表示するだけでは、上記(A)の問題を解消することはできない。以下では、ピンバックルを備えた衣服用ベルトを、単に、衣服用ベルトと記す。
【先行技術文献】
【特許文献】
【００１０】
【特許文献１】特開2005-281943号公報
【考案の概要】
【考案が解決しようとする課題】
【００１１】
本考案は、従来の技術の問題点を解消し、衣服用ベルトを使用することによって不可避的に発生するピン孔周辺の損傷（すなわち外観の劣化）を見えなくして、良好な外観を保持する衣服用ベルトを提供することを目的とする。また、衣服用ベルトの外観が良好であっても、体形の変化等の理由でピンを挿入するピン孔を変更する場合に、皮革製帯状体を切り落とす長さを容易に判定できる衣服用ベルトを提供することを目的とする。
【課題を解決するための手段】
【００１２】
衣服用ベルトを使用すればピン孔周辺に損傷が発生するのは避けられないことから、本考案者は、ピン孔周辺の損傷を見え難くする技術について検討した。具体的には、ピンを挿入するピン孔を変更して衣服用ベルトを使用し続けることによって、損傷を受けるピン孔が次第に増加していくので、衣服用ベルトの皮革製帯状体に配列されたピン孔をカバーで覆った衣服用ベルトを種々試作し、日常生活でそれらを着用して実用性を検証する実験を行なった。その結果、
(1)柔軟な薄い皮革からなるカバー（以下、皮革製カバーという）で全てのピン孔を覆うことによって、ピン孔が見え難くなる、
(2)ピンバックルの機能を発揮して衣服用ベルトを使用者の腰部に保持するためには、皮革製カバーからピンの先端を突出させる必要がある、
(3)皮革製カバーに直線状のスリットを設け、そのスリットとピン孔の配列とを一致させることによって、上記(2)を達成することができ、しかも衣服用ベルトの使用に伴う皮革製カバーの損傷を回避できる
という知見を得た。
【００１３】
本考案は、このような知見に基づいてなされたものである。
すなわち本考案は、衣服に装着して使用者の腰部に衣服を保持するための皮革製帯状体の一端にピンバックルを備え、皮革製帯状体の他端にピンバックルのピンを挿入するピン孔を一列に複数個配列した衣服用ベルトであって、皮革製帯状体の外面のピン孔を配列した端部に皮革製カバーを被せてピン孔の列を覆い、かつ皮革製カバーに１筋の切れ目を入れて直線状のスリットを設け、そのスリットとピン孔の夫々の中心点を結ぶ１本の直線とを一致させて配置する衣服用ベルトである。
【００１４】
本考案の衣服用ベルトにおいては、皮革が天然皮革および／または人造皮革であることが好ましい。また、複数個のピン孔のうちの１個を基準孔とし、皮革製帯状体の内面のピンバックル側の端部に基準孔の中心点からの距離Ｍを示す目盛りを表示することが好ましい。さらに、基準孔の中心点とピン孔の夫々の中心点との間隔Ｎを、皮革製帯状体の内面のピン孔周辺に表示することが好ましい。
【考案の効果】
【００１５】
本考案によれば、衣服用ベルトを使用することによって不可避的に発生するピン孔周辺の損傷が見えなくなり、さらに、ピンを挿入するピン孔の変更に対応して皮革製帯状体を切り落とす長さを容易に判定できるので、煩雑な作業を行なわずに衣服用ベルトを使用し続けることができる。その結果、衣服用ベルトの耐用期間を延長することが可能となり、産業上格段の効果を奏する。
【００１６】
ピンを挿入するピン孔を変更して使用し続けることによって、損傷を受けたピン孔が次第に増加していくが、それら全てを見え難くして衣服用ベルトの外観を良好に保つことができる。
【図面の簡単な説明】
【００１７】
【図１】本考案の衣服用ベルトの外面の例を模式的に示す平面図である。
【図２】本考案の衣服用ベルトの内面の例を模式的に示す平面図である。
【考案を実施するための形態】
【００１８】
図１(a)は、本考案の衣服用ベルト１の外面を示す平面図である。本考案の衣服用ベルト１は、皮革製帯状体３の一端にピンバックル２を備えている。そして、他端には複数個のピン孔が設けられているが、その端部には皮革製カバー４が被せられて全てのピン孔を覆っているので、衣服用ベルト１の外面側からピン孔は見えない。そこで、皮革製カバー４を被せる側の端部を拡大し、さらに、ピン孔６を透視図として図１(b)に示す。
【００１９】
図１(b)に示すように、ピン孔６は一列に配列され、ピン孔６の夫々の中心点は１本の直線で結ばれる。ピン孔６を覆う皮革製カバー４には１筋の切れ目を入れて直線状のスリット５が設けられており、そのスリット５は、上記したピン孔６の中心点を結ぶ直線と一致するように配置される。
【００２０】
衣服用ベルト１を着用する時は、使用者がピンバックル２のピンを皮革製帯状体３の内面側からピン孔６に挿入するので、ピンの先端が皮革製カバー４のスリット５から外面側へ突出して、さらにピンバックル２に固定される。こうして衣服用ベルト１が使用者の腰部に支障なく保持される。
【００２１】
使用者がピンバックル２のピンを皮革製帯状体３の内面側に抜き取って、衣服用ベルト１を腰部から解放すると、柔軟な皮革製カバー４の弾力でスリット５が閉じる。その結果、ピン孔６が、皮革製カバー４で覆われて、衣服用ベルト１の外面側から見えなくなる。
【００２２】
衣服用ベルト１を繰り返し着用することによって特定のピン孔６が損傷を受けた場合は、ピンを挿入するピン孔６を変更して衣服用ベルト１を使用し続ける。損傷を受けたピン孔６は、ピンが挿入されず皮革製カバー４で覆われて、衣服用ベルト１の外面側から見えないので、外観を良好に保つことができる。
【００２３】
ピンを挿入するピン孔６を変更する場合は、ピン孔６からピンバックル２までの距離を広げるような位置にあるピン孔６のうちの１個を選択するのが一般的である。そして、損傷を受けたピン孔６の中心点から新たに選択したピン孔６の中心点との間隔に相当する長さを、皮革製帯状体３から切り落とす。ここで切り落とすのは、皮革製帯状体３のピンバックル２側の端部である。つまり、皮革製帯状体３からピンバックル２を取り外した後、皮革製帯状体３から所定の長さを切り落とし、再びピンバックル２を取り付ける。こうすることによって、ピン孔６を変更する前と同じ力で腰部を締め付けることが可能となり、不快感を持たずに着用できる。
【００２４】
従来の衣服用ベルトでは、皮革製帯状体３を切り落とす長さを決定するためには、変更する前後のピン孔６の中心点同士の間隔を物差しで測定する必要があり、煩雑な作業となる。
【００２５】
本考案の衣服用ベルト１では、従来と同様に物差しによる測定値に基づいて皮革製帯状体３を切り落としても、皮革製カバー４は残置されるので、衣服用ベルト１の良好な外観を保持するという課題を解決することはできる。ただし、皮革製帯状体３を切り落とす長さを決定する作業を簡便に行なうために、皮革製帯状体３の内面に目盛りを表示することが好ましい。
【００２６】
図２(a)は、皮革製帯状体３の内面に目盛り７を表示した例を示す平面図であり、図２(c)は目盛り７を拡大して示す平面図である。図２(a)に示すピンバックル２は、図１(a)に示すピンバックル２を裏返しに反転したものである。
【００２７】
目盛り７に表示する数値を決定するにあたって、まず、複数個のピン孔６の中から基準となるピン孔6a（以下、基準孔という）を決定する。基準孔6aは複数個のピン孔６のうちの１個であれば良く、基準孔6aを決定するための制約は特にない。図２(a)に示す例では、一列に配列された５個のピン孔６のうちの中央を基準孔6aとする。そして基準孔6aからピンバックル２までの距離Ｍを示す数値を目盛り７に表示する。図２(c)に示す例では数値の単位はcmであるが、単位をmmとして表示しても問題はない。
【００２８】
さらに、皮革製帯状体３の内面にピン孔６の中心点同士の間隔Ｎを表示することが好ましい。図２(b)はＮ＝2.5cmの例であり、基準孔6aを０（ゼロ）と表示して、基準孔6aからピンバックル２までの距離Ｍを広げる方向を＋（プラス）、距離Ｍを縮める方向を−（マイナス）として数値を表示する。図２(b)に示す例では数値の単位はcmであるが、単位をmmとして表示しても問題はない。ただし、上記した距離Ｍの単位に揃えることが好ましい。また、基準孔6aは、数値０（ゼロ）を表示する代わりに、小型のリベット等を打ち込んで示すことも可能である。
【００２９】
このようにして、皮革製帯状体３を切り落とす長さを決定する作業を簡便に行なうことができる。しかも、目盛りや数値は皮革製帯状体３の内面に表示するので、外面側から見えず、外観を良好に保持することができる。
【００３０】
一般的な衣服用ベルトは、ピン孔の中心点同士の間隔Ｎが２〜2.5cm程度、ピン孔の個数が５個程度であるが、間隔Ｎを狭く（たとえば1cm程度）し、かつピン孔の個数を増やす（たとえば10個程度）ことによって、皮革製帯状体の内面に表示した目盛りや数値を使用者の健康管理に活用することもできる。つまり、使用者の体形が痩せ型あるいは肥満型に変化して、使用者が日常的にピンを挿入するピン孔を変更したり、皮革製帯状体の端部を切り落としたりした場合に、腰部の寸法変化を具体的な数値として認識できる。
【実施例】
【００３１】
図１に示すように、牛革製の皮革製帯状体３の一端に金属製のピンバックル２を取り付け、他端に設けたピン孔６の列を牛革製の皮革製カバー４で覆って、衣服用ベルト１を製作した。皮革製カバー４は、スリット５を設けて、皮革製帯状体３の外面に被せた。皮革製帯状体３の内面には、図２に示すように、目盛りと数値を表示した。さらに、ピンバックル２のピンを挿入するピン孔６は、ピンバックル２に最も近いピン孔６とし、距離Ｍを使用者の腰部に合わせて調整した。そして、この衣服用ベルト１をズボンに装着して、２週間（８時間／日）着用した。
【００３２】
２週間が経過した後、ピンを挿入するピン孔６を隣接するピン孔に変更し、さらに間隔Ｎに相当する長さを皮革製帯状体３の端部から切り落とした。つまり、ピンを挿入するピン孔６を変更した後の距離Ｍは、ピン孔６を変更する前の距離Ｍと同じである。このような衣服用ベルト１の長さの調整は、皮革製帯状体３の内面の目盛りと数値を利用して、簡単にできた。
【００３３】
そして、再び１週間（８時間／日）着用した。この期間中に、使用者は腰部に不快感を持たずに着用できた。また、元のピン孔６は、上記した２週間の使用によって僅かに変形していたが、皮革製カバー４で覆われているので、衣服用ベルト１を着用した時に外面側から見えなかった。
【符号の説明】
【００３４】
１  衣服用ベルト
２  ピンバックル
３  皮革製帯状体
４  皮革製カバー
５  スリット
６  ピン孔
6a  基準孔
７  目盛り
【図１】
0003217227.tif 000003
【図２】
0003217227.tif 000004